(57)【特許請求の範囲】
【請求項１】
樹脂製の外環部と、前記外環部の内側に一体化されていてその端面が接着層を介して管端の切断面に密着させられる内環部とから成っていて、前記外環部の外周面にテーパー面が形成されている環状の防食キャップを管端に嵌め付ける際に用いる治具であって、  
握持部を備えたベース板と、前記ベース板に配備されて前記防食キャップの前記テーパー面に当接する傾斜部を有する外側支持部と、前記防食キャップの前記内環部の内周面に当接する内側支持部とを有し、
前記防食キャップを前記管端にあてがった後、前記外側支持部の傾斜部を前記テーパー面に当接させ、及び／又は、前記内側支持部を前記内環部の内周面に当接させた状態で前記治具を前記管端方向へ押圧操作して、前記外側支持部の傾斜部と前記内側支持部との間において前記防食キャップの外環部と内環部とを挟圧させることにより、前記内環部の端面の前記接着層を介しての前記管端の切断面に対する密着操作を可能にしたことを特徴とする管端への防食キャップ装着用治具。
【請求項２】
前記内側支持部は、ローラー軸が前記ベース板に直交するようにして前記ベース板に取り付けられた受けローラーである、請求項１に記載の防食キャップ装着用治具。
【請求項３】
前記内側支持部は、前記ベース板に直交するようにして前記ベース板に取り付けられた円筒体である、請求項１に記載の防食キャップ装着用治具。
【請求項４】
前記外側支持部は、前記ベース板から三角形状に突出する肉厚の支持板である、請求項１乃至３のいずれかに記載の防食キャップ装着用治具。
【請求項５】
前記支持板の前記テーパー面に当接する傾斜部は、曲面にされる、請求項４に記載の防食キャップ装着用治具。
【請求項６】
前記外側支持部は、ローラー軸が前記ベース板に対して傾斜するようにして前記ベース板に取り付けられた押えローラーである、請求項１乃至３のいずれかに記載の防食キャップ装着用治具。
【請求項７】
前記外側支持部は、前記ベース板から突出する肉厚の支持板に形成した凹陥部の傾斜部と垂直部であり、前記内側支持部は、前記凹陥部の水平部である、請求項１に記載の防食キャップ装着用治具。
【発明の詳細な説明】
【技術分野】
【０００１】
本発明は、管端への防食キャップ装着用治具に関するものであり、より詳細には、いわゆるダクタイル鉄管や内面ライニング鋼管等の管端切断面の防食保護のために、管端に嵌め付けられる防食キャップの管端への装着を、容易且つ迅速に行うことを可能にする管端への防食キャップ装着用治具に関するものである。
【背景技術】
【０００２】
管路を敷設する場合等に際し、管が敷設場所の状況に応じた適当な長さとなるように調整する目的で、管の先端を切断する必要があるが、その場合切断面は地肌が露出するため腐食しやすくなる。そのため、防食の目的で当該切断面に防食キャップが被着される。
【０００３】
防食キャップ１１には種々の形状のものがあるが、図６に示されるような、ポリプロピレン等の樹脂製の外環部１２と、外環部１２の一半部内側面に嵌め付けられて管端１６の切断面に対向することになるエラストマー製の内環部１３と、内環部１３の端面に定着されていて内環部１３の端面を管端１６の切断面に密着させる接着層１４とから成るものが一般的である。この防食キャップ１１の場合、外環部１２の上記一半部の外周面は４５度ほどのテーパー面１５とされ、外環部１２の他半部は薄肉化され、通例、少し先細の被着部１７とされる。
【０００４】
そして、この防食キャップ１１を管端に装着するに当たっては、その被着部１７の一部を管端１６の外側面上に被せた後、例えば、両側に取っ手を有する芯杆の中央部にウレタンゴム製ローラーを配した圧着ローラーや丸棒等を用い、あるいは、素手で防食キャップ１１を全周に渡って押圧していくことで、接着層１４を介して内環部１３の端面を管の切断面に密着させるようにしている（非特許文献１参照）。
【０００５】
しかし、その操作によって接着層１４を介して内環部１３の端面を管の切断面に均一に密着させ、且つ、被着部１７を管端の縁辺に密着させるには、防食キャップ１１を全周に渡ってほぼ均一に押圧していく必要があることは言うまでもないが、その際、防食キャップ１１を単に押圧するだけでなく、管の厚み方向にしごくように押圧していく必要があるため、この作業を適確に行うには熟練を要する。
【先行技術文献】
【特許文献】
【０００６】
【特許文献１】特許第３００３７５２号公報
【特許文献２】特許第３１３９９０８号公報
【特許文献３】特許第４８４５５３６号公報
【特許文献４】特開２０１３−２０４７３７号公報
【非特許文献】
【０００７】
【非特許文献１】ショーボンドカップリング株式会社の国内向け製品カタログ（ＳＢコアー）
【発明の概要】
【発明が解決しようとする課題】
【０００８】
上述したように、従来行われている防食キャップの管端への装着作業には熟練を要するため、何人も簡単迅速に行い得る訳ではない。そこで本発明は、防食キャップの管端への装着作業を、非熟練者であっても、簡単、迅速且つ適確に行うことを可能ならしめる管端への防食キャップ装着用治具を提供することを課題とする。
【課題を解決するための手段】
【０００９】
上記課題を解決するための請求項１に係る発明は、樹脂製の外環部と、前記外環部の内側に一体化されていてその端面が接着層を介して管端の切断面に密着させられる内環部とから成っていて、前記外環部の外周面にテーパー面が形成されている環状の防食キャップを管端に嵌め付ける際に用いる治具であって、握持部を備えたベース板と、前記ベース板に配備されて前記防食キャップの前記テーパー面に当接する傾斜部を有する外側支持部と、前記防食キャップの前記内環部の内周面に当接する内側支持部とを有し、  前記防食キャップを前記管端にあてがった後、前記外側支持部の傾斜部を前記テーパー面に当接させ、及び／又は、前記内側支持部を前記内環部の内周面に当接させた状態で前記治具を前記管端方向へ押圧操作して、前記外側支持部の傾斜部と前記内側支持部との間において前記防食キャップの外環部と内環部とを挟圧させることにより、前記内環部の端面の前記接着層を介しての前記管端の切断面に対する密着操作を可能にしたことを特徴とする管端への防食キャップ装着用治具である。
【００１０】
一実施形態における前記内側支持部は、ローラー軸が前記ベース板に直交するようにして前記ベース板に取り付けられた受けローラーであり、他の実施形態における前記内側支持部は、前記ベース板に直交するようにして前記ベース板に取り付けられた円筒体である。
【００１１】
一実施形態においては、前記外側支持部は、前記ベース板から三角形状に突出する支持板である。その場合、好ましくは、前記支持板の前記テーパー面に当接する傾斜部は曲面とされる。また、一実施形態においては、前記外側支持部は、ローラー軸が前記ベース板に対して傾斜するようにして前記ベース板に取り付けられた押えローラーである。
【００１２】
更に一実施形態においては、前記外側支持部は、前記ベース板から突出する支持板に形成した凹陥部の傾斜部と垂直部であり、前記内側支持部は、前記凹陥部の水平部である。
【発明の効果】
【００１３】
本発明は上記のとおりであって、防食キャップの管端への装着作業を、非熟練者であっても、簡単且つ迅速に行うことを可能ならしめる効果がある。即ち、防食キャップを管端にあてがった後、本治具を握持して外側支持部の傾斜部をテーパー面に当接させ、及び／又は、内側支持部を内環部の内周面に当接させた状態で本治具を管端方向へ押圧操作して防食キャップの外環部と内環部とを挟圧させ、その状態で管端に沿って移動させていくだけで、内環部の端面全周を接着層を介して管端の切断面全周に渡って確実に密着させることができる効果がある。
【図面の簡単な説明】
【００１４】
【図１】本発明に係る管端への防食キャップ装着用治具の第１の実施形態を示す側面図である。
【図２】図１に示す実施形態の正面図である。
【図３】本発明に係る管端への防食キャップ装着用治具の第２の実施形態を示す側面図である。
【図４】本発明に係る管端への防食キャップ装着用治具の第３の実施形態を示す側面図である。
【図５】本発明に係る管端への防食キャップ装着用治具の第５の実施形態を示す側面図である。
【図６】本発明に係る管端への防食キャップ装着用治具の使用対象となる防食キャップの構成例を示す正面図及びＡ−Ａ線断面図である。
【発明を実施するための形態】
【００１５】
本発明を実施するための好ましい形態について、添付図面に依拠して説明する。本発明に係る管端への防食キャップ装着用治具（以下本治具とする）は、防食キャップ１１を、切断した管端１６の防食のために管端１６に嵌め付ける際に用いる治具である。        
【００１６】
本発明において想定している防食キャップ１１は、例えば、ポリプロピレン等の樹脂製の外環部１２と、外環部１２の内側に一体化されていてその端面が接着層１４を介して管端の切断面に密着させられるエラストマー製の内環部１３とから成っていて、外環部１２の外周面に４５度ほどのテーパー面１５が形成されている環状の防食キャップである（図６参照）。外環部１２の一部は薄肉化され、少し先細の被着部１７が形成されている。この被着部１７は、防食キャップ１１の装着時に、管端１６の外周縁に密着することになる。なお、接着層１４は、通例、ブチルゴムシートであり、その表面に剥離シートが被装されていて、使用時に剥離するようになっている。
【００１７】
先ず、図１及び図２に示される実施形態について説明する。そこに示される治具は、握持部２を備えたベース板１と、ベース板１に配備されて、防食キャップ１１の内環部１３を受ける内側支持部である受けローラー３と、ベース板１の受けローラー３の上側に配備されて、防食キャップ１１のテーパー面１５に接圧してこれを押圧するよう作用する外側支持部である、三角形状を呈する支持板６とで構成される。握持部２は、図示したようなＣ字形状であることが好ましいが、これに限らず、例えば、単なる棒状のものであってもよい。
【００１８】
受けローラー３のローラー軸４は、ベース板１に固定設置された軸支持ブロック５を介してベース板１に直交するように設置され、受けローラー３を軸支してその自由回転を許容する。この実施形態における外側支持部は、ベース板１から三角形状に突出する肉厚の支持板６であり、その防食キャップ１１のテーパー面１５に接圧することになる傾斜部６ａは、ローラー軸４に対し、テーパー面１５の角度αに対応する角度分傾斜するように形成される。傾斜部６ａは、好ましくは、幅方向に湾曲する曲面を呈するように形成される。
【００１９】
次いで、上記構成の本治具を用いて、防食キャップ１１を管端１６に嵌め付ける方法について説明する。防食キャップ１１の嵌め付け作業に際しては、先ず、防食キャップ１１の接着層１４に被装されている剥離シートを剥離除去する。そして、防食キャップ１１の被着部１７の一部を管端１６の外周面に被せ、握持部２を握ることによって本治具を確固と握持し、その受けローラー３を防食キャップ１１内に挿入してそのまま押し込むようにする。すると、先ず、支持板６の傾斜部６ａが外環部１２のテーパー面１５に当接し、更に押し込むと、傾斜部６ａがテーパー面１５に沿って上方に摺動するに伴い、受けローラー３の周面が内環部１３の内周面に強く当接するに至る。
【００２０】
なお、逆に、先に受けローラー３の周面を内環部１３の内周面に当接させた状態で押し込むこととしても、同じ結果となる。
【００２１】
その状態で本治具を更に押し込むと、外環部１２と内環部１３とが、受けローラー３の周面と支持板６の傾斜部６ａとの間に挟み込まれて楔形に押圧され（図１における矢印参照）、被着部１７が管端１６の外周面縁部を管の長さ方向にずり動かされて管端１６の外周面縁部に密着すると共に、接着層１４が管の切断面に強く押し付けられて完全に接着し、以て、内環部１３の端面が管端の切断面に密着する。そこで、その押圧状態を維持したまま、本治具を管の切断面に沿って円弧状に移動させていくことにより（管の方を回してもよい）、内環部１３の端面を、接着層１４を介して管の切断面全周に亘って完全に密着させることができる。この作業は、熟練を要することなく、何人も比較的容易に且つ迅速に行うことができる。
【００２２】
図３に示される第２の実施形態は、外側支持部の構成が上記第１の実施形態の場合とは異なっている。即ち、この第２の実施形態における外側支持部は押えローラー７であり、そのローラー軸８は、ベース板１に固定設置された軸支持ブロック９において、支持板６の傾斜部６ａの場合と同様に、ローラー軸４に対し、テーパー面１５の角度αに対応する角度分傾斜するように軸支される。
【００２３】
この第２の実施形態の場合においても、第１の実施形態の場合と同じ操作をすることにより、実質的に同様の作用効果が得られる。両実施形態における相違は、第１の実施形態の場合は、本治具を押し込みつつ管の切断面に沿って移動させる際、支持板６の傾斜部６ａがテーパー面１５に沿って摺動するのに対し、第２の実施形態の場合は、押えローラー７が転動しつつテーパー面１５を押圧する点であり、その他の点は共通である。
【００２４】
図４に示される第３の実施形態は、第１の実施形態の変形例であり、第１の実施形態と外側支持部の構成を異にする。即ち、この第３の実施形態の外側支持部は、第１の実施形態における支持板６の傾斜部６ａを途中でベース板１と平行となるようにして垂直部６ｂを設けたものである。
【００２５】
この第３の実施形態の場合も、大体第１の実施形態の場合と同じ操作をすることにより、実質的に同様の作用効果が得られる。両実施形態における相違は、第１の実施形態の場合は、本治具を押し込みつつ管の切断面に沿って移動させる際、外環部１２の端面を押え止める手段がないのに対し、第３の実施形態においては、その際に垂直部６ｂが外環部１２の端面を押え止めることができるという点にある。そのために、第３の実施形態の場合は、接着層１４がより確実に管の切断面に強く押し付けられ、接着状態がより良好となるというメリットがある。
【００２６】
上記第１乃至第３の実施形態の場合の内側支持部は、いずれも受けローラー３であるが、この受けローラー３の代わりに、ベース板１に直交するようにしてベース板１に取り付けた円筒体を用いることができる。この第４の実施形態の場合は、その円筒体の周面が、受けローラー３の場合と同様に内環部１３の内周面に当接することで、同様に作用する。
【００２７】
図５に示される第５の実施形態は、支持板６を、防食キャップ１１の外環部１２のテーパー面１５及び端面、並びに、内環部１３の内周面に当接する内側面を有する凹陥部を設けたものとしたものである。即ち、当該凹陥部は、第３の実施形態における支持板６の傾斜部６ａ、垂直部６ｂに続けて水平部６ｃを設けたものであって、その傾斜部６ａと垂直部６ｂが外側支持部となり、その水平部６ｃが内側支持部となる。そして、これらの傾斜部６ａ、垂直部６ｂ及び水平部６ｃはそれぞれ、上記各実施形態における外側支持部並びに内側支持部と同様に作用する。
【００２８】
この発明をある程度詳細にその最も好ましい実施形態について説明してきたが、この発明の精神と範囲に反することなしに広範に異なる実施形態を構成することができることは明白である。従って、この発明は、添付請求の範囲において限定した以外はその特定の実施形態に制約されるものではない。
【符号の説明】
【００２９】
１      ベース板      
２      握持部      
３      受けローラー      
４      ローラー軸      
５      軸支持ブロック      
６      支持板      
６ａ    傾斜部      
６ｂ    垂直部
６ｃ    水平部
７      押えローラー      
８      ローラー軸        
９      軸支持ブロック      
１１    防食キャップ      
１２    外環部      
１３    内環部      
１４    接着層      
１５    テーパー面      
１６    管端      
１７    被着部
【要約】
【課題】防食キャップの管端への装着作業を、非熟練者であっても、簡単且つ迅速に行うことを可能ならしめる管端への防食キャップ装着用治具を提供することを課題とする。
【解決手段】防食キャップ１１を管端に嵌め付ける際に用いる治具であって、握持部２を備えたベース板１と、ベース板１に配備されて防食キャップ１１の内周面１３に圧接する受けローラー３と、ベース板１の受けローラー３の上側に配備されて防食キャップ１１のテーパー面１５に接圧する三角支持板６とから成り、受けローラー３のローラー軸４はベース面１に対して直交するように設置され、三角支持板６のテーパー面１５に当接する傾斜部６ａは、ローラー軸４に対してテーパー面１５の傾斜角度に対応する角度分傾斜するように形成される。
【選択図】図１【図１】
0005756557.tif 000002
【図２】
0005756557.tif 000003
【図３】
0005756557.tif 000004
【図４】
0005756557.tif 000005
【図５】
0005756557.tif 000006
【図６】
0005756557.tif 000007